(57)【要約】【課題】  気体ノズルと、この気体ノズルのベンチュリー効果により、液体を噴出可能な液体ノズルとを備えたノズルヘッドにおいて、液体ノズルの絞り部に詰まりが生じた場合でも、わずらわしいノズル先端の掃除をすることなく、ノズルヘッドを再び使用することができるようになるノズルヘッド、およびこのノズルヘッドを採用した除菌消臭スプレー装置を提供する。【解決手段】  気体ノズル２１は、先端の絞り部２１ａが、気体ノズル２１の基部２１ｂから着脱可能に形成され、液体ノズル２２は、先端の絞り部２２ａが、液体ノズル２２の基部２１ｂから着脱可能に形成され、気体ノズル２１の絞り部２１ａが、気体ノズル２１の基部２１ｂから離脱した状態で、液体ノズル２２の絞り部２２ａが、交換可能に構成されている。【選択図】      図３
0003112420.tif 000002
【実用新案登録請求の範囲】
【請求項１】
絞り部を先端に有し、この絞り部を通して気体を噴出可能な気体ノズルと、
この気体ノズルの中の気流中に設けられ、この気流のベンチュリー効果により、先端に設けられた絞り部を通して液体を噴出可能な液体ノズルと、
を備えたノズルヘッドであって、
上記気体ノズルは、先端の絞り部が、気体ノズルの基部から着脱可能に形成され、
上記液体ノズルは、先端の絞り部が、液体ノズルの基部から着脱可能に形成され、
上記気体ノズルの絞り部が、気体ノズルの基部から離脱した状態で、液体ノズルの絞り部が、交換可能に構成されていることを特徴とするノズルヘッド。
【請求項２】
上記気体ノズルは、気体ノズルの絞り部と基部とがねじにより連結されるものであることを特徴とする請求項１に記載のノズルヘッド。
【請求項３】
上記液体ノズルは、液体ノズルの絞り部と基部とが嵌合により連結されるものであることを特徴とする請求項１または請求項２のいずれかに記載のノズルヘッド。
【請求項４】
上記液体ノズルは、合成樹脂で形成された絞り部の先端に金属製の細管を有し、この細管を通して液体を噴出するものであることを特徴とする請求項１ないし請求項３のいずれかに記載のノズルヘッド。
【請求項５】
絞り部を先端に有し、この絞り部を通して液体を噴出可能な液体ノズルを備えたノズルヘッドであって、
上記液体ノズルは、絞り部が、液体ノズルの基部から着脱可能に形成され、
この絞り部は、合成樹脂で形成されるとともに、先端に金属製の細管を有し、この細管を通して液体を噴出するものであることを特徴とするノズルヘッド。
【請求項６】
上記気体として空気を噴出可能な気体ノズルと、上記液体として除菌消臭液を噴出可能な液体ノズルとを備えた請求項１ないし請求項４のいずれかに記載のノズルヘッドと、
上記ノズルヘッドの気体ノズルに空気を供給可能な空気供給手段と、
上記ノズルヘッドの液体ノズルに除菌消臭液を供給可能な除菌消臭液供給手段と、
を備えたことを特徴とする除菌消臭スプレー装置。
【考案の詳細な説明】
【技術分野】
【０００１】
本考案は、例えば、自動車の除菌消臭スプレーなど、液体を気流で吹出して噴霧するスプレーに採用されるノズルヘッドと、このノズルヘッドを採用した除菌消臭スプレー装置とに関するものである。
【背景技術】
【０００２】
自動車の除菌消臭スプレーなど液体を気流で吹出して噴霧するノズルヘッドは、一般に、先端から気体を噴出する気体ノズルと、この気体ノズルの中の気流中に設けられ、この気流のベンチュリー効果により、先端から液体を噴出する液体ノズルとを備えている。
【０００３】
例えば、特許文献１には、圧縮ガスを噴出する気体ノズルと、この気体ノズルの中の気流中に設けられ、複数の液を混合して生成品として噴出するスプレーノズル（液体ノズル）とを備えた噴霧装置の技術が開示されている。
【特許文献１】特開昭６１−１８４５９号公報
【考案の開示】
【考案が解決しようとする課題】
【０００４】
しかしながら、上述の公報に開示されたノズルヘッドでは、スプレーノズルの先端の絞り部、内室、液体の導入部など、スプレーノズルの全体が一体に製作されているので、先端の絞り部だけを交換するというわけにはいかなかった。そのため、先端の絞り部に詰まりが生じた場合などは、その都度、多大な労力を費やして噴霧装置を分解して内部のスプレーノズルを取り外し、詰まりが生じた絞り部の掃除をしなければ、ノズルヘッドを再び使用することができないという問題があった。
【０００５】
本考案は上記不具合に鑑みてなされたものであり、液体ノズルの絞り部に詰まりが生じた場合でも、わずらわしいノズル先端の掃除をすることなく、ノズルヘッドを再び使用することができるようになるノズルヘッド、およびこのノズルヘッドを採用した除菌消臭スプレー装置を提供することを課題としている。
【課題を解決するための手段】
【０００６】
上記課題を解決するための本考案に係るノズルヘッドは、絞り部を先端に有し、この絞り部を通して気体を噴出可能な気体ノズルと、この気体ノズルの中の気流中に設けられ、この気流のベンチュリー効果により、先端に設けられた絞り部を通して液体を噴出可能な液体ノズルとを備えたノズルヘッドであって、上記気体ノズルは、先端の絞り部が、気体ノズルの基部から着脱可能に形成され、上記液体ノズルは、先端の絞り部が、液体ノズルの基部から着脱可能に形成され、上記気体ノズルの絞り部が、気体ノズルの基部から離脱した状態で、液体ノズルの絞り部が、交換可能に構成されていることを特徴とするノズルヘッドである。
【０００７】
本考案によれば、気体ノズルの絞り部が、気体ノズルの基部から離脱した状態で、液体ノズルの絞り部が、交換可能に構成されているので、液体ノズルの絞り部に詰まりが生じるなど絞り部に問題が発生した場合は、絞り部のメンテナンスをすることなく、即座に液体ノズルの絞り部を交換してノズルヘッドを再使用することができるようになる。
【０００８】
ここで、上記気体ノズルは、気体ノズルの絞り部と基部とがねじにより連結されるものであることが好ましい。
【０００９】
この好ましい態様によれば、気体ノズルの絞り部と基部とがねじにより連結されるので、堅固に気体ノズルの絞り部と基部とが連結される。また、容易に気体ノズルの絞り部と基部とを分離することができる。
【００１０】
また、上記液体ノズルは、液体ノズルの絞り部と基部とが嵌合により連結されるものであることが好ましい。
【００１１】
この好ましい態様によれば、液体ノズルの絞り部と基部とが嵌合により連結されるので、容易に液体ノズルの絞り部と基部とが連結される。また、容易に液体ノズルの絞り部と基部とを分離することができる。
【００１２】
さらに、上記液体ノズルは、合成樹脂で形成された絞り部の先端に金属製の細管を有し、この細管を通して液体を噴出するものであることが好ましい。
【００１３】
この好ましい態様によれば、液体ノズルの絞り部が、安価な合成樹脂で形成されるので、この絞り部を使い捨てにすることができる結果、わずらわしい絞り部の掃除をする必要がなくなる。
【００１４】
また、液体ノズルが、絞り部に設けられた金属製の細管を通して液体を噴出するものであるので、液体を噴出するのための絞り部の内径を精度良く製作することができる結果、噴霧の強度、噴霧の範囲、噴霧液の量など、ノズルヘッドの性能のばらつきを低く抑えることができるようになる。
【００１５】
上記課題を解決するための本考案に係るもう一つのノズルヘッドは、絞り部を先端に有し、この絞り部を通して液体を噴出可能な液体ノズルを備えたノズルヘッドであって、上記液体ノズルは、絞り部が、液体ノズルの基部から着脱可能に形成され、この絞り部は、合成樹脂で形成されるとともに、先端に金属製の細管を有し、この細管を通して液体を噴出するものであることを特徴とするノズルヘッドである。
【００１６】
本考案のノズルヘッドによれば、液体ノズルの絞り部が、安価な合成樹脂で形成され、液体ノズルの基部から着脱可能に形成されているので、液体ノズルの絞り部に詰まりが生じるなど液体ノズルの絞り部に問題が発生した場合は、この液体ノズルの絞り部のメンテナンスをすることなく、即座に絞り部を交換してノズルヘッドを再使用することができるようになる。
【００１７】
また、上記課題を解決するための本考案に係る除菌消臭スプレー装置は、上記気体として空気を噴出可能な気体ノズルと、上記液体として除菌消臭液を噴出可能な液体ノズルとを備えたノズルヘッドと、上記ノズルヘッドの気体ノズルに空気を供給可能な空気供給手段と、上記ノズルヘッドの液体ノズルに除菌消臭液を供給可能な除菌消臭液供給手段とを備えたことを特徴とする除菌消臭スプレー装置である。
【００１８】
本考案の除菌消臭スプレー装置によれば、ノズルヘッドの気体ノズルと液体ノズルとが、それぞれ空気と除菌消臭液とを噴出可能に構成され、空気供給手段と除菌消臭液供給手段とが、それぞれノズルヘッドに、空気と除菌消臭液とを供給することができるので、わずらわしいメンテナンスを必要としない除菌消臭スプレー装置を実現することができる。
【考案の効果】
【００１９】
以上説明したように、本考案に係るノズルヘッドによれば、液体ノズルの絞り部が、着脱可能に構成されているので、液体ノズルの絞り部に詰まりが生じるなど絞り部に問題が発生した場合は、液体ノズルの絞り部のメンテナンスをすることなく、即座に液体ノズルの絞り部を交換してノズルヘッドを再使用することができるようになる。このように、先端部を使い捨てにすることができる結果、わずらわしいノズル先端の掃除をする必要がなくなるという顕著な効果を奏する。
【考案を実施するための最良の形態】
【００２０】
以下、添付図面を参照しながら本考案の好ましい実施の一形態について詳述する。図１は、本考案の実施の形態に係るノズルヘッド２０を採用した除菌消臭スプレー装置１００の構成を示す正面図であり、図２は、除菌消臭スプレー装置１００の側面図である。また、図３は、本考案の実施の形態に係るノズルヘッド２０の構成を示す断面図であり、図４は、本考案の実施の形態に係るノズルヘッド２０の構成を示す分解断面図である。図５は、本考案の実施の形態に係る液体ノズル２２の絞り部２２ａを液体ノズル２２の基部２２ｂ側から見た外形図である。
【００２１】
図１と図２とを参照して、本考案の実施の形態に係る除菌消臭スプレー装置１００は、例えば自動車の座席の後方などに置かれて、車内に除菌消臭液Ｌを噴霧する装置であり、ケーシング１０の中に、本考案の実施の形態に係るノズルヘッド２０と、このノズルヘッド２０の気体ノズル２１（図３）に気体として空気Ｇを供給可能な空気供給手段３０と、このノズルヘッド２０の液体ノズル２２（図３）に除菌消臭液Ｌを供給可能な除菌消臭液供給手段４０とを備えている。そして、この除菌消臭スプレー装置１００は、ノズルヘッド２０を通して、空気供給手段３０からの空気Ｇの気流とともに、除菌消臭液供給手段４０からの除菌消臭液Ｌを自動車の車内に噴霧するように構成されている。
【００２２】
上記ケーシング１０は、上方開口の下部容器１１と、この下部容器１１を上から覆う蓋部１２とを有しており、蓋部１２は、一対のヒンジ機構１３で下部容器１１に対して開閉可能になっている。そして蓋部１２には、開口部１４が設けられており、この開口部１４を通して、開口部１４の内側に配置されたノズルヘッド２０から、空気Ｇと、除菌消臭液Ｌが、ケーシング１０の外部に噴霧される。
【００２３】
ノズルヘッド２０は、図３〜図５に示すように、空気供給手段３０からの空気Ｇを噴出可能な気体ノズル２１と、除菌消臭液供給手段４０からの除菌消臭液Ｌを噴出可能な液体ノズル２２と、ヘッド本体２３とを備えており、ヘッド本体２３は、金属製の部品であり、ナット２４により、ケーシング１０の中に設けられた固定治具２５に固定されている。
【００２４】
ここで、気体ノズル２１は、先端に絞り部２１ａを有し、この絞り部２１ａを通して、ヘッド本体２３に設けられた気体導入部２３ａと気体導入孔２３ｂとを介して受け入れた空気Ｇを噴出するものである。ここで絞り部２１ａは、先端に設けられた細孔２１ｃを通して空気Ｇを噴出する。また、この気体ノズル２１は、金属製の絞り部２１ａと金属製の基部２１ｂとがねじ２１ｄにより連結されて構成され、この絞り部２１ａと基部２１ｂとの間のねじ２１ｄにより、先端の絞り部２１ａが、気体ノズル２１の基部２１ｂから着脱可能に形成されている。
【００２５】
上記液体ノズル２２は、気体ノズル２１の中の気流中に設けられ、この気流のベンチュリー効果により、先端に設けられた絞り部２２ａを通してヘッド本体２３に設けられた液体導入部２３ｃと液体導入孔２３ｄとを介して受け入れた除菌消臭液Ｌを噴出するものである。この液体ノズル２２は、合成樹脂で形成された絞り部２２ａと、金属製の基部２２ｂとが嵌合により着脱可能に連結されている。
【００２６】
そして、気体ノズル２１の絞り部２１ａが、気体ノズル２１の基部２１ｂから離脱した状態で、液体ノズル２２の絞り部２２ａが、液体ノズル２２の基部２２ｂに対してワンタッチで交換可能に構成されている。
【００２７】
なお、この液体ノズル２２は、合成樹脂で形成された絞り部２２ａの先端に設けられた細孔２２ｃに、高い精度で内径が加工された金属製の細管２６が嵌入されており、この細管２６を通して除菌消臭液Ｌが噴出するように構成されている。
【００２８】
上記空気供給手段３０は、気体ノズル２１に空気Ｇを供給するものであり、詳しくは図示しないが、空気取り入れ口と、除塵フィルターと、簡易な小型電動式空気コンプレッサと、小容量の空気サージタンクと、合成樹脂性のフレキシブルな空気輸送管３１とを備えている。
【００２９】
上記除菌消臭液供給手段４０は、液体ノズル２２に除菌消臭液Ｌを供給するものであり、詳しくは図示しないが、除菌消臭液リザーバータンク４１と合成樹脂性のフレキシブルな除菌消臭液輸送管４２とを備えている。この除菌消臭液供給手段４０には、特に除菌消臭液Ｌに対してポンプのような昇圧手段が設けられていないが、ベンチュリー効果により、液体ノズル２２の内部が負圧になるので、大気圧の除菌消臭液リザーバータンク４１から液体ノズル２２への除菌消臭液Ｌの輸送が可能となっている。
【００３０】
次に図１〜図３を参照して、本考案の実施の形態に係るノズルヘッド２０の作用とこのノズルヘッド２０を採用した除菌消臭スプレー装置１００の作用とについて説明する。
【００３１】
まず、ケーシング１０の蓋部１２を、ヒンジ機構により下部容器１１に対して開放状態にし、この状態で除菌消臭液供給手段４０の除菌消臭液リザーバータンク４１に除菌消臭液Ｌを補充する。
【００３２】
次に、蓋部１２を、ヒンジ機構により下部容器１１に対して閉めた状態にする。
【００３３】
そして、空気供給手段３０を稼動させると、空気取り入れ口から取り入れられた空気Ｇが、除塵フィルターを通った後、小型電動式空気コンプレッサで昇圧され、さらにサージタンクと、空気輸送管３１とを通して、気体ノズル２１に空気Ｇが供給される。
【００３４】
これにより、気体ノズル２１が、絞り部２１ａを通して空気Ｇを噴出する。
【００３５】
また、気体ノズル２１の中の空気Ｇの気流のベンチュリー効果により、液体ノズル２２の内部が負圧になるので、除菌消臭液供給手段４０において、大気圧の除菌消臭液リザーバータンク４１から液体ノズル２２への除菌消臭液Ｌが輸送され、液体ノズル２２に除菌消臭液Ｌが供給される。
【００３６】
そして、同様に気体ノズル２１の中の気流中のベンチュリー効果により、液体ノズル２２の先端に設けられた絞り部２２ａを通して除菌消臭液Ｌが噴出される。
【００３７】
この時、液体ノズル２２は、高い精度で内径が加工された金属製の細管２６を通して除菌消臭液Ｌを噴出させる。
【００３８】
このようにして、除菌消臭スプレー装置１００は、例えば自動車の座席の後方において車内に除菌消臭液Ｌを噴霧する。
【００３９】
次に、液体ノズル２２の先端に設けられた絞り部２２ａの交換の手順は以下の通りである。
【００４０】
すなわち、まず、気体ノズル２１において、金属製の絞り部２１ａと金属製の基部２１ｂとの間のねじ２１ｄを外すことにより絞り部２１ａが、気体ノズル２１の基部２１ｂから離脱される。
【００４１】
次に、このように、気体ノズル２１の絞り部２１ａが、気体ノズル２１の基部２１ｂから離脱した状態で、液体ノズル２２の古い絞り部２２ａを、液体ノズル２２の基部２２ｂから引き抜くとともに、新しい絞り部２２ａを液体ノズル２２の基部２２ｂに嵌合させて新しいものと交換する。
【００４２】
そして気体ノズル２１の絞り部２１ａと基部２１ｂとをねじ２１ｄにより締結することにより、絞り部２１ａが、気体ノズル２１の基部２１ｂに対して連結される。
【００４３】
以上説明したように、本考案の実施の形態に係るノズルヘッド２０によれば、気体ノズル２１の絞り部２１ａが、気体ノズル２１の基部２１ｂから離脱した状態で、液体ノズル２２の絞り部２２ａが、液体ノズル２２の基部２１ｂから着脱可能に形成され、交換可能に構成されているので、液体ノズル２２の絞り部２２ａに詰まりが生じるなど絞り部２２ａに問題が発生した場合は、絞り部２２ａのメンテナンスをすることなく、即座に液体ノズル２２の絞り部２２ａを交換してノズルヘッド２０を再使用することができるようになる。
【００４４】
次に、気体ノズル２１の絞り部２１ａと基部２１ｂとがねじ２１ｄにより連結されるので、堅固に気体ノズル２１の絞り部２１ａと基部２１ｂとが連結される。また、容易に気体ノズル２１の絞り部２１ａと基部２１ｂとを分離することができる。
【００４５】
また、液体ノズル２２の絞り部２２ａと基部２２ｂとがねじ２２ｃにより連結されるので、堅固に液体ノズル２２の絞り部２２ａと基部２２ｂとが連結される。また、容易に液体ノズル２２の絞り部２２ａと基部２２ｂとを分離することができる。
【００４６】
また、液体ノズル２２の絞り部２２ａが、安価な合成樹脂で形成されるので、この絞り部２２ａを使い捨てにすることができる結果、わずらわしい絞り部２２ａの掃除をする必要がなくなる。
【００４７】
さらに、液体ノズル２２が、絞り部２２ａに設けられた金属製の細管２６を通して液体を噴出するものであるので、液体を噴出するのための絞り部２２ａの内径を精度良く製作することができる結果、噴霧の強度、噴霧の範囲、噴霧液の量など、ノズルヘッド２０の性能のばらつきを低く抑えることができるようになる。
【００４８】
そして、本考案に係る除菌消臭スプレー装置１００によれば、ノズルヘッド２０の気体ノズル２１と液体ノズル２２とが、それぞれ空気Ｇと除菌消臭液Ｌとを噴出可能に構成され、空気供給手段３０と除菌消臭液供給手段４０とが、それぞれノズルヘッド２０に、空気Ｇと除菌消臭液Ｌとを供給することができるので、わずらわしいメンテナンスを必要としない除菌消臭スプレー装置１００を実現することができる。
【００４９】
上述した実施の形態は本考案の好ましい具体例を例示したものに過ぎず、本考案は上述した実施の形態に限定されない。
【００５０】
例えば、本考案の実施の形態に係る除菌消臭スプレー装置１００は、自動車の後部座席後方に設けられて、車内に除菌消臭液Ｌを噴霧するのに用いられる除菌消臭スプレー装置１００に限定されない。例えば家庭や職場におけるさまざまな場所の除菌消臭の用途に用いられることが可能である。
【００５１】
また、ケーシング１０は、材質、形状など種々の設計変更が可能であるだけでなく、ヒンジ機構１３も必ずしも必須ではない。
【００５２】
気体ノズル２１の絞り部２１ａと基部２１ｂとは必ずしも金属製に限定されない。ノズルヘッド２０の用途に応じて例えば、合成樹脂でこれらの部分を成形することも可能である。
【００５３】
また、液体ノズル２２の基部２２ｂも必ずしも金属製に限定されない。ノズルヘッド２０の用途に応じて合成樹脂で成形することも可能である。
【００５４】
また、空気供給手段３０も、ノズルヘッド２０の気体ノズル２１に空気Ｇを供給可能であれば、種々の設計変更が可能であり、回転式、往復動式、種々の空気コンプレッサが採用可能である。また、外部から加圧空気Ｇが利用できるところであれば、除菌消臭スプレー装置１００側では必ずしも空気コンプレッサが無くとも良い。
【００５５】
また、除菌消臭液供給手段４０も、液体ノズル２２に除菌消臭液Ｌを供給可能な構成であれば、種々の設計変更が可能である。また、除菌消臭液Ｌに対してポンプのような昇圧手段を設けることも可能である。
【００５６】
その他、本考案の実用新案請求の範囲内で種々の設計変更が可能であることはいうまでもない。
【図面の簡単な説明】
【００５７】
【図１】本考案の実施の形態に係るノズルヘッドを採用した除菌消臭スプレー装置の構成を示す正面図である。
【図２】除菌消臭スプレー装置の側面図である。
【図３】本考案の実施の形態に係るノズルヘッドの構成を示す断面図である。
【図４】本考案の実施の形態に係るノズルヘッドの構成を示す分解断面図である。
【図５】本考案の実施の形態に係る液体ノズルの絞り部を液体ノズルの基部側から見た外形図である。
【符号の説明】
【００５８】
２０    ノズルヘッド
２１    気体ノズル
２１ａ  気体ノズルの絞り部
２１ｂ  気体ノズルの基部
２１ｄ  気体ノズルのねじ
２２    液体ノズル
２２ａ  液体ノズルの絞り部
２２ｂ  液体ノズルの基部
２６    細管
３０    空気供給手段
４０    除菌消臭液供給手段
１００  除菌消臭スプレー装置
【図１】
0003112420.tif 000003
【図２】
0003112420.tif 000004
【図３】
0003112420.tif 000005
【図４】
0003112420.tif 000006
【図５】
0003112420.tif 000007